(57)【要約】【課題】電子部品付きコネクタにおいて電子部品の振動を確実に抑制する。【解決手段】本発明の電子部品付きコネクタ１０は、前後方向に延びるコンデンサ本体３１を有し、このコンデンサ本体３１の前端から一対のリード線３２が前方に延出されてなるコンデンサ３０と、コンデンサ３０の前方に配されて一対のリード線３２に接続される一対の電子部品接続部５５、６５が形成されたバスバー片５０、６０と、コンデンサ３０およびバスバー片５０、６０を挿入可能な挿入口２１が前方に開口して設けられ、バスバー片５０、６０を保持するハウジングと、ハウジングに一体に設けられ、弾性的に撓み可能な複数の弾性片４４を有し、これらの弾性片４４が撓んだ状態でコンデンサ本体３１を挟むことでコンデンサ３０を保持する電子部品保持部４３とを備えた構成としたところに特徴を有する。【選択図】図４
2014232698.tif 000002
【特許請求の範囲】
【請求項１】
前後方向に延びる部品本体を有し、この部品本体の前端から一対のリード線が前方に延出されてなる電子部品と、
前記電子部品の前方に配されて前記一対のリード線に接続される一対の電子部品接続部が形成された導電部材と、
前記電子部品および前記導電部材を挿入可能な挿入口が前方に開口して設けられ、前記導電部材を保持するハウジングと、
前記ハウジングに一体に設けられ、弾性的に撓み可能な複数の弾性片を有し、これらの弾性片が撓んだ状態で前記部品本体を挟むことで前記電子部品を保持する電子部品保持部とを備えた電子部品付きコネクタ。
【請求項２】
前記部品本体は略円柱形状とされており、前記複数の弾性片は全体として略円筒状をなし、前記部品本体の外周面に沿ってほぼ等間隔で配設されていることを特徴とする請求項１に記載の電子部品付きコネクタ。
【請求項３】
前記ハウジングは、前記導電部材を保持するホルダと、前記挿入口を有し、この挿入口から前記ホルダを内部に収容するハウジング本体とを備えて構成されていることを特徴とする請求項１または請求項２に記載の電子部品付きコネクタ。
【請求項４】
前記電子部品保持部と前記ホルダの後端部とは、一体に形成されていることを特徴とする請求項３に記載の電子部品付きコネクタ。
【請求項５】
前記電子部品保持部と前記ハウジング本体の内部における後端部とは、一体に形成されていることを特徴とする請求項３に記載の電子部品付きコネクタ。
【発明の詳細な説明】
【技術分野】
【０００１】
本発明は、電子部品付きコネクタに関する。
【背景技術】
【０００２】
従来、コンデンサ等の電子部品を内蔵した電子部品付きコネクタとして、下記特許文献１に記載のものが知られている。この電子部品は横長の部品本体を有し、この部品本体の両端から一対のリード線がそれぞれ反対方向に引き出され、各リード線は一対のバスバーに半田付けされている。すなわち、電子部品の部品本体は、各リード線によって両持ち状に保持されている。このため、電子部品付きコネクタが振動を受けた場合であっても、電子部品の部品本体が大きく振動することはなく、バスバーとの接続部が破損するおそれはない。
【０００３】
一方、下記特許文献２に記載の電子部品は、一対のリード線が部品本体の一端からそれぞれ同じ方向に引き出された片持ち状とされている。この部品本体は、ハウジングに設けられた受け部と、ホルダに設けられた支持部との間で前後方向に挟み込まれるとともに、一対のバスバーにそれぞれ設けられた一対の挟持片の間で上下方向から挟持されるようになっている。これにより、電子部品の部品本体が振動することを回避している。
【先行技術文献】
【特許文献】
【０００４】
【特許文献１】特開２００７−２８７６４４号公報
【特許文献２】特開２０１２−１０９１５８号公報
【発明の概要】
【発明が解決しようとする課題】
【０００５】
しかしながら、電子部品の寸法公差は元々大きく、部品本体の寸法が小さめに形成されている場合には、上記特許文献２の構成では、ハウジングの受け部とホルダの支持部との間で部品本体を前後方向に挟み込めないおそれがある。また、各バスバーの挟持片によって部品本体を上下方向に挟持するにしても、同様の理由により、部品本体を確実に挟持できないおそれがある。
【０００６】
本発明は上記のような事情に基づいて完成されたものであって、電子部品付きコネクタにおいて電子部品の振動を確実に抑制することを目的とする。
【課題を解決するための手段】
【０００７】
本発明の電子部品付きコネクタは、前後方向に延びる部品本体を有し、この部品本体の前端から一対のリード線が前方に延出されてなる電子部品と、電子部品の前方に配されて一対のリード線に接続される一対の電子部品接続部が形成された導電部材と、電子部品および導電部材を挿入可能な挿入口が前方に開口して設けられ、導電部材を保持するハウジングと、ハウジングに一体に設けられ、弾性的に撓み可能な複数の弾性片を有し、これらの弾性片が撓んだ状態で部品本体を挟むことで電子部品を保持する電子部品保持部とを備えた構成としたところに特徴を有する。
【０００８】
電子部品付きコネクタの仕様によっては、電子部品の部品本体を前後方向（相手側コネクタとの嵌合方向）に配置する、縦型配置を採用するとともに、一対のリード線がいずれも部品本体の前端から前方に引き出されている電子部品を使用する場合がある。この場合に、電子部品付きコネクタが振動すると、片持ち状とされた電子部品の部品本体の後端側（自由端側）が振動しやすくなり、導電部材の一対の電子部品接続部との接続部がより破損しやすくなる。
【０００９】
そこで、上記の構成では、ハウジングに電子部品保持部を設けたから、この電子部品保持部の複数の弾性片によって電子部品の部品本体を挟んで保持することができる。このようにすれば、電子部品の寸法公差を各弾性片によって吸収した上で部品本体の後端側が振動することを抑制でき、リード線と電子部品接続部の接続部が破損することを回避できる。
【００１０】
本発明の実施の態様として、以下の構成が好ましい。
部品本体は略円柱形状とされており、複数の弾性片は全体として略円筒状をなし、部品本体の外周面に沿ってほぼ等間隔で配設されている構成としてもよい。
このような構成によると、複数の弾性片によって部品本体をバランス良く挟んで電子部品を保持することができる。
【００１１】
ハウジングは、導電部材を保持するホルダと、挿入口を有し、この挿入口からホルダを内部に収容するハウジング本体とを備えて構成されている構成としてもよい。
このような構成によると、導電部材をホルダに保持させた後、このホルダをハウジング本体の内部に収容することができる。
【００１２】
電子部品保持部とホルダの後端部とは、一体に形成されている構成としてもよい。
このような構成によると、導電部材と電子部品をホルダに保持させた後、一対のリード線を対応するバスバー片にそれぞれ接続し、このホルダをハウジング本体の内部に収容することができる。
【００１３】
電子部品保持部とハウジング本体の内部における後端部とは、一体に形成されている構成としてもよい。
このような構成によると、電子部品の部品本体をハウジング本体によって直接保持することができる。
【発明の効果】
【００１４】
本発明によれば、電子部品付きコネクタにおいて電子部品の振動を確実に抑制することができる。
【図面の簡単な説明】
【００１５】
【図１】実施形態１の電子部品付きコネクタの構成要素を示す分解斜視図
【図２】電子部品付きコネクタを斜め前方から見た斜視図
【図３】電子部品付きコネクタの正面図
【図４】図３におけるＡ−Ａ線断面図
【図５】ホルダにコンデンサとバスバー片を保持させた状態を斜め前方から見た斜視図
【図６】ホルダにコンデンサとバスバー片を保持させた状態を前方から見た正面図
【図７】ホルダにコンデンサとバスバー片を保持させた状態を上方から見た平面図
【図８】ホルダにコンデンサとバスバー片を保持させた状態を側方から見た側面図
【図９】ハウジング本体の正面図
【図１０】ハウジング本体の平面図
【図１１】図９におけるＢ−Ｂ線断面図
【図１２】ホルダの正面図
【図１３】ホルダの背面図
【図１４】ホルダの平面図
【図１５】ホルダの側面図
【図１６】実施形態２における電子部品付きコネクタの内部構造を示す断面図
【図１７】ハウジング本体の内部にコンデンサが収容された状態を前方から見た正面図
【図１８】図１７におけるＣ−Ｃ線断面図
【図１９】ハウジング本体の正面図
【図２０】図１９におけるＤ−Ｄ線断面図
【発明を実施するための形態】
【００１６】
＜実施形態１＞
本発明の実施形態１を図１ないし図１５の図面を参照しながら説明する。本実施形態における電子部品付きコネクタ（以下、単にコネクタ１０という）は、自動車等に搭載された電気・電子機器等のノイズを除去するためのコネクタであって、電気・電子機器等から導出される図示しない複数の電線を一括して接続するジョイントコネクタである。このコネクタ１０は、図１に示すように、一方向のみに開口した袋状のハウジング本体２０、コンデンサ３０、ホルダ４０、第１バスバー片５０、第２バスバー片６０などを備えて構成されている。また、コネクタ１０は、図示しない相手側コネクタと嵌合可能とされている。なお、以下において前後方向とは、図１における矢線方向を基準とし、相手側コネクタとの嵌合方向を前側とする。
【００１７】
ハウジング本体２０は合成樹脂製であって、前方からホルダ４０を内部に挿入可能な挿入口２１を有している。また、ハウジング本体２０は、挿入口２１を構成するとともに相手側コネクタが内部に嵌合可能なフード部２２と、ホルダ４０を内部に収容するホルダ収容部２３と、コンデンサ３０を内部に収容するコンデンサ収容部２４とから形成されている。そして、フード部２２とホルダ収容部２３とコンデンサ収容部２４とが一体に形成されることで、ハウジング本体２０は全体として、挿入口２１を有する３段形状の袋状となっている。ハウジング本体２０の構造の詳細については後述する。
【００１８】
第１バスバー片５０および第２バスバー片６０はいずれも、導電性の金属板材を打ち抜いて、曲げ加工等を施すことで成形されている。また、第１バスバー片５０および第２バスバー片６０は、ホルダ４０の厚さ方向（高さ方向）に上下２段に並べて配置されている。このうち第１バスバー片５０はホルダ４０の下段側に配置され、第２バスバー片６０はホルダ４０の上段側に配置される。以下において第１バスバー片５０と第２バスバー片６０に共通する構成を説明する際には、これらをまとめてバスバー片５０、６０というものとする。
【００１９】
バスバー片５０、６０は、相手側コネクタに保持された雌端子金具に接続される複数の端子部５１、６１と、これらを櫛歯状に連結する帯状連結部５３、６３と、コンデンサ３０に接続される電子部品接続部５５、６５とを有している。また、バスバー片５０、６０は、図３に示すように、ともに端子部５１、６１を５本ずつ備え、各端子部５１、６１が上下に揃う位置に配置されている。
【００２０】
端子部５１、６１はタブ状をなし、帯状連結部５３、６３の前端面に一定のピッチで並んで突設されている。図１に示すように、電子部品接続部５５、６５は、帯状連結部５３、６３のうち端子部５１、６１とは反対の端面（後端面）に形成され、かつ、後方に延出されている。
【００２１】
帯状連結部５３、６３の左右方向の長さは、図７に示すように、ホルダ４０の後述するバスバー片保持部４１の幅方向（左右方向）の長さよりも長くなっている。そのため、バスバー片５０、６０をホルダ４０に組み付けた際に、帯状連結部５３、６３が、バスバー片保持部４１の左右両端部から突出した状態となる。
第１バスバー片５０の電子部品接続部５５と、第２バスバー片６０の電子部品接続部６５とは、組み付けられた際に、図７に示すように、ホルダ４０の幅方向に一定の間隔をあけて配置されている。
【００２２】
第２バスバー片６０の電子部品接続部６５は、図４に示すように、その帯状連結部６３のうち左右方向（ホルダ４０の幅方向）の中心よりも左側に偏心した位置から後方に突出している。また、電子部品接続部６５は、帯状連結部６３とも段差がないため、第２バスバー片６０全体が平坦なものとされている。なお、電子部品接続部６５の幅寸法は全長に亘って略同一とされている。
【００２３】
第２バスバー片６０の電子部品接続部６５の基端部（前端部）には、第２圧入部６６が形成されている。第２圧入部６６は、前方に向かって幅が広がるように形成されているため、後述する第２接続部挿通孔４６Ｂに圧入されるにつれて、樹脂に食い込む部分が大きくなる。すなわち、電子部品接続部６５の左右両側に設けられた一対の第２圧入部６６を合わせることで楔形状の圧入部が構成されている。第２圧入部６６は、図４に示すように、バスバー片保持部４１の前後方向の略中央に係止することで、所定位置に配された第２バスバー片６０を抜け止めしてホルダ４０に保持する役割を果たす。
【００２４】
第１バスバー片５０の電子部品接続部５５は、図１に示すように、その帯状連結部５３のうち左右方向の中心よりも右側に偏心した位置から後方に突出している。
第１バスバー片５０の電子部品接続部５５は、その先端部が第２バスバー片６０の電子部品接続部６５と略同一高さに配されるべく、長さ方向（前後方向）の途中の位置において２度直角曲げされている。すなわち電子部品接続部５５は、その長さ方向の途中の位置において上方に屈曲された後、第２バスバー片６０の電子部品接続部６５と同一高さの位置において、さらに後方に屈曲されている。また、第１バスバー片５０の電子部品接続部５５の先端部（コンデンサ３０の後述するリード線３２と接続する部分）は、屈曲する部分よりも若干幅広形状となっている。
【００２５】
第１バスバー片５０には、図１に示すように、ホルダ４０に形成されたホルダ圧入孔４６Ａに圧入される第１圧入部５６が備えられている。第１圧入部５６は、帯状連結部５３から電子部品接続部５５と同じ側に突出して設けられ、すなわち端子部５１とは反対側に突出して設けられている。第１圧入部５６の長さ寸法は、バスバー片保持部４１の前後方向の長さ寸法よりも短くなっている。また、その先端側は、楔形状となっている。このように、屈曲している電子部品接続部５５とは別の箇所に第１圧入部５６が設けられることで、屈曲している場所に圧入する力がかかって、変形することを防止できる。
【００２６】
また、バスバー片５０、６０には、ハウジング本体２０に形成されたハウジング圧入穴２６に圧入されるハウジング圧入部５７、６７が備えられている。このハウジング圧入部５７、６７は、帯状連結部５３、６３から電子部品接続部５５、６５と同じ側に突出して設けられ、すなわち端子部５１、６１とは反対側に突出して設けられている。ハウジング圧入部５７、６７の長さ寸法は、第１圧入部５６および第２圧入部６６の長さ寸法と略同一とされており、その先端側は、楔形状となっている。また、ハウジング圧入部５７、６７は、帯状連結部５３、６３の左右方向の両端部にそれぞれ設けられている。ハウジング圧入部５７、６７は、ホルダ４０にバスバー片５０、６０が組み付けられた場合に、バスバー片保持部４１から左右両側に突出して配される。
【００２７】
コンデンサ３０は、アルミ電解コンデンサであって、略円柱形状をなすコンデンサ本体３１と、その前端面から前方に導出された正負一対のリード線３２とを備えている。リード線３２は丸ピン形状をなし、コンデンサ本体３１の前端面から前方に突出している。一対のリード線３２は、所定の間隔をあけて配されている。一対のリード線３２は、コンデンサ本体３１がホルダ４０の電子部品保持部４３に組み付けられることで、バスバー片５０、６０の電子部品接続部５５、６５の上側に配され、抵抗溶接によって電子部品接続部５５、６５に接続されている。
【００２８】
次に、ハウジング本体２０の構造について説明する。
図９および図１１に示すように、フード部２２の嵌合底面２７には、コンデンサ収容部２４が後方に凹設されている。同じく、嵌合底面２７には、コンデンサ収容部２４よりも大きく開口させて凹設することで、ホルダ収容部２３が形成されている。フード部２２とホルダ収容部２３の連結部には、バスバー片５０、６０の帯状連結部５３、６３の両端部を差し込むためのハウジング差込溝２５が形成されている。このハウジング差込溝２５は、ホルダ収容部２３の左右両側に一対配されている。ハウジング差込溝２５の後端には、ハウジング圧入穴２６が後方に延びて凹設されている。なお、ハウジング圧入穴２６の内部には上下一対のリブが形成され、圧入時にこれらのリブが圧潰されることでバスバー片５０、６０が上下方向に位置決めされた状態でハウジング本体２０に保持される。
【００２９】
ホルダ収容部２３は、ホルダ４０の中間部４２を内部に収容可能としており、その大きさはホルダ４０の中間部４２をがたつきなく収容可能な大きさとなっている。一方、コンデンサ収容部２４は、図４に示すように、ホルダ４０の後述する電子部品保持部４３を内部に収容可能としている。コンデンサ収容部２４の長さは電子部品保持部４３を所定位置に収容しても、コンデンサ収容部２４の後方に空間が設けられるゆとりのある長さとされている。
【００３０】
続いて、ホルダ４０の構造について説明する。
ホルダ４０は合成樹脂製であって、図５に示すように、全体として前後方向に細長い形状をなし、その前端側にバスバー片５０、６０を保持するバスバー片保持部４１が形成され、後端側にコンデンサ３０を保持する電子部品保持部４３が形成されている。そして、ホルダ４０のうちバスバー片保持部４１と電子部品保持部４３との間に形成された中間部４２において、バスバー片５０、６０とコンデンサ３０との接続がなされる。すなわち、ホルダ４０は、バスバー片保持部４１と、中間部４２と、電子部品保持部４３とが一体となって形成されたものである。なお、電子部品保持部４３は、ホルダ４０の幅方向（左右方向）の略中央に位置している。
【００３１】
中間部４２は、図５および図７に示すように、幅方向に対向状態をなすように設けられた一対の側壁部４２Ａと、これらの側壁部４２Ａを連結する中間連結部４２Ｂと、リード線３２を支持するリード線支持部４２Ｃとを有している。一対の側壁部４２Ａは、互いに略平行をなして対向し、その前端が、バスバー片保持部４１に連結されている。中間連結部４２Ｂは、側壁部４２Ａの後端部同士を連結するように設けられており、電子部品保持部４３とも連結されている。
【００３２】
また、中間連結部４２Ｂの前端には、コンデンサ３０のリード線３２を支持するリード線支持部４２Ｃが設けられている。リード線支持部４２Ｃは、中間連結部４２Ｂから前方に片持ち状に突出し、上下方向に弾性変形可能とされている。中間部４２においては、一対の側壁部４２Ａとバスバー片保持部４１と電子部品保持部４３とに囲まれた空間が、上下方向に開口しており、電子部品保持部４３とリード線３２を抵抗溶接するための電極（図示せず）を配置できるようになっている。
【００３３】
バスバー片保持部４１は、図５に示すように、ホルダ４０の幅方向に長い略方形のブロック状をなしている。バスバー片保持部４１には、図１２に示すように、バスバー片５０、６０の帯状連結部５３、６３が装着される装着溝４６が形成されている。装着溝４６は、前方および左右方向（幅方向）の３方向に開口された溝であり、バスバー片５０、６０の帯状連結部５３、６３が前方から装着可能とされている。バスバー片５０、６０は、組み付けられた際に、図５に示すように、装着溝４６の奥面（後面）に帯状連結部５３、６３の後端面が当接して後止まりがなされる。また、装着溝４６はバスバー片保持部４１に上下２段に形成されている。
【００３４】
上段の装着溝４６の奥面には、図１２に示すように、第２バスバー片６０の電子部品接続部６５を挿通可能な第２接続部挿通孔４６Ｂが貫通形成されている。電子部品接続部６５は、装着溝４６の前方から挿入されて、第２接続部挿通孔４６Ｂを挿通して、中間部４２に突出する。なお、第２接続部挿通孔４６Ｂの幅は電子部品接続部６５の幅と略同一とされている。なお、第２バスバー片６０は、上下方向に位置決めされた状態でホルダ４０の装着溝４６に圧入保持される。
【００３５】
バスバー片保持部４１には、上段の装着溝４６と下段の装着溝４６を上下方向に連通させる差込孔４７が形成されている。差込孔４７は、第１バスバー片５０の電子部品接続部５５を差し入れることを可能としている。差込孔４７の幅寸法は、電子部品接続部５５の屈曲した部分の幅寸法よりも若干大きい寸法とされている。また、上段の装着溝４６の奥面には、第１バスバー片５０の電子部品接続部５５を挿通可能な第１接続部挿通孔４６Ｃが貫通形成されている。電子部品接続部５５の先端部（リード線３２と接続する部分で幅広の部分）は、図４に示すように、上段の装着溝４６の前方から挿入されて、第１接続部挿通孔４６Ｃを挿通して、中間部４２に突出する。その際に、屈曲した部分が差込孔４７に差し入れられる。なお、第１接続部挿通孔４６Ｃの幅寸法は、差込孔４７の幅寸法より大きく、電子部品接続部５５の先端部（リード線３２と接続する部分で幅広の部分）が挿通可能な幅寸法とされている。
【００３６】
また、下段の装着溝４６の奥面には、図１２に示すように、第１バスバー片５０の第１圧入部５６に対応する位置に、ホルダ圧入孔４６Ａが形成されている。ホルダ圧入孔４６Ａは、ホルダ４０の幅方向（左右方向）の略中央に形成され、バスバー片保持部４１の後側へ貫通している。なお、第１バスバー片５０は、上下方向に位置決めされた状態でホルダ４０の装着溝４６に圧入保持される。
【００３７】
電子部品保持部４３は、図１に示すように、複数の弾性片４４と、スペーサ部４５とを備えて構成されている。複数の弾性片４４は、図５に示すように、コンデンサ本体３１を取り囲むとともに、コンデンサ本体３１を前後方向に貫く軸線を中心として等角度間隔で配設されている。また、弾性片４４は、コンデンサ３０が装着された状態では、コンデンサ本体３１の軸線から径方向外側に撓んだ状態となっており、コンデンサ本体３１の寸法公差を吸収した上で、外部からの振動を抑制する役割を果たす。これにより、リード線３２と電子部品接続部５５、６５の接続部が破損することを回避できる。
【００３８】
複数の弾性片４４は全体として略円筒状をなすように配され、コンデンサ本体３１が装着されると、コンデンサ本体３１の外周面に沿ってほぼ等間隔で配される。また、左右両側に位置する弾性片４４は、図１３に示すように、中間連結部４２Ｂと一体に形成されているのに対して、中央に位置する弾性片４４は、スペーサ部４５を介して中間連結部４２Ｂに連結されている。スペーサ部４５は柱状をなし、中間連結部４２Ｂの幅方向の略中央から上方に立ち上がる形態をなし、その上端部に、中央に位置する弾性片４４が連結されている。スペーサ部４５は、一対のリード線３２間に配されるようになっており、リード線３２同士の接触を防いでいる。
【００３９】
左右両側に位置する弾性片４４の上端部は、幅方向外側にオフセットされることで段差４４Ａが形成されている。左右両側に位置する一対の段差４４Ａは対向状態で配され、これらの段差４４Ａには、コンデンサ３０を後方から電子部品保持部４３に装着する際に、一対のリード線３２が挿通されるようになっている。各リード線３２が各段差４４Ａに挿通された状態では、コンデンサ本体３１の回転が抑制され、周方向に位置決めされた状態となる。したがって、コンデンサ３０の装着に際して、リード線３２の先端が電子部品接続部５５、６５の後端部に対して後方から突き当たって損傷することはない。
【００４０】
本実施形態は以上のような構成であって、続いてコネクタ１０の組み立て方法について図１および図５を用いて説明する。
まず、第１バスバー片５０をホルダ４０に取り付ける。帯状連結部５３が下段の装着溝４６に、電子部品接続部５５の屈曲部分が差入孔４７に、電子部品接続部５５の幅広部分が上段の装着溝４６の第１接続部挿通孔４６Ｃの前方に位置するようにして、第１バスバー片５０を後方に押し込む。すると、第１圧入部５６が下段の装着溝４６のホルダ圧入孔４６Ａに圧入され、電子部品接続部５５の幅広部分が中間部４２の中空部分に突出してくる。そして、帯状連結部５３の後端面が、下段の装着溝４６の奥面に突き当たると、第１バスバー片５０の押し込みが停止される。なお、電子部品接続部５５が差込孔４７や第１接続部挿通孔４６Ｃに挿入される際には、圧入はされておらず、第１圧入部５６のみが圧入されている。こうして、第１バスバー片５０は、第１圧入部５６がホルダ圧入孔４６Ａの内周面に食い込むことにより、バスバー片保持部４１に保持される。
【００４１】
次に、第２バスバー片６０をホルダ４０に取り付ける。帯状連結部６３が上段の装着溝４６に、電子部品接続部６５が第２接続部挿通孔４６Ｂの前方に位置するようにして、第２バスバー片６０を後方に押し込む。すると、電子部品接続部６５の第２圧入部６６が第２接続部挿通孔４６Ｂに圧入され、電子部品接続部６５の先端部分が中間部４２の中空部分に突出してくる。そして、帯状連結部６３の後端面が、上段の装着溝４６の奥面に突き当たると、第２バスバー片６０の押し込みが停止される。こうして、第２バスバー片６０は、第２圧入部６６が第２接続部挿通孔４６Ｂの内面に食い込むことにより、バスバー片保持部４１に保持される。
【００４２】
このように、バスバー片５０、６０がホルダ４０に取り付けられると、ハウジング圧入部５７、６７と帯状連結部５３、６３の左右両端部は、バスバー片保持部４１から左右両側に突出した状態となる。
【００４３】
バスバー片５０、６０が取り付けられた後に、コンデンサ３０が電子部品保持部４３に取り付けられる。コンデンサ３０は、全体として略円筒状をなす複数の弾性片４４の内側に後方から挿入され、複数の弾性片４４をコンデンサ本体３１の径方向外側に撓ませつつ、それぞれのリード線３２が各段差４４Ａを挿通して電子部品接続部５５、６５に上方から当接するように、挿入される。コンデンサ３０が所定位置に取り付けられると、コンデンサ本体３１が複数の弾性片４４によって外周から弾性的に挟まれた状態となり、リード線３２と電子部品接続部５５、６５とが、上下一対の抵抗溶接用の電極に挟まれて抵抗溶接される。
【００４４】
続いて、バスバー片５０、６０とコンデンサ３０が取り付けられたホルダ４０がハウジング本体２０に取り付けられる。挿入口２１からコンデンサ３０を先方にしてホルダ４０が挿入される。そして、バスバー片５０、６０（帯状連結部５３、６３）のホルダ４０から突出した端部が押されることで、バスバー片５０、６０が押し込まれる。バスバー片５０、６０のハウジング圧入部５７、６７が、ハウジング圧入穴２６に圧入される。そして、帯状連結部５３、６３のホルダ４０から突出した端部の後端面が、ハウジング差込溝２５の後面に突き当たり、押し込みが停止される。バスバー片５０、６０の押し込みが停止すると、バスバー片５０、６０とともにホルダ４０もハウジング本体２０内の所定の位置に配される。こうして、バスバー片５０、６０は、ハウジング圧入部５７、６７がハウジング圧入穴２６の内周面に食い込むことにより、ハウジング本体２０に保持される。また、バスバー片５０、６０は、ホルダ４０も保持されているので、バスバー片５０、６０を介して、ハウジング本体２０とホルダ４０が固定される。
【００４５】
以上のように本実施形態では、ホルダ４０に電子部品保持部４３を設けたから、この電子部品保持部４３の複数の弾性片４４によってコンデンサ３０のコンデンサ本体３１を挟んで保持することができる。このようにすれば、コンデンサ３０の寸法公差を各弾性片４４によって吸収した上でコンデンサ本体３１の後端側が振動することを抑制でき、リード線３２と電子部品接続部５５、６５の接続部が破損することを回避できる。
【００４６】
コンデンサ本体３１は略円柱形状とされており、複数の弾性片４４は全体として略円筒状をなし、コンデンサ本体３１の外周面に沿ってほぼ等間隔で配設されている構成としてもよい。このような構成によると、複数の弾性片４４によってコンデンサ本体３１をバランス良く挟んでコンデンサ３０を保持することができる。
【００４７】
ハウジングは、バスバー片５０、６０を保持するホルダ４０と、挿入口２１を有し、この挿入口２１からホルダ４０を内部に収容するハウジング本体２０とを備えて構成されている構成としてもよい。このような構成によると、バスバー片５０、６０をホルダ４０に保持させた後、このホルダ４０をハウジング本体２０の内部に収容することができる。
【００４８】
電子部品保持部４３とホルダ４０の後端部とは、一体に形成されている構成としてもよい。このような構成によると、バスバー片５０、６０とコンデンサ３０をホルダ４０に保持させた後、一対のリード線３２を対応するバスバー片５０、６０にそれぞれ接続し、このホルダ４０をハウジング本体２０の内部に収容することができる。
【００４９】
電子部品保持部４３とハウジング本体２０の内部における後端部とは、一体に形成されている構成としてもよい。このような構成によると、コンデンサ３０のコンデンサ本体３１をハウジング本体２０によって直接保持することができる。
【００５０】
＜実施形態２＞
次に、本発明の実施形態２を図１６ないし図２０の図面を参照しながら説明する。本実施形態における電子部品付きコネクタ（以下、単にコネクタ１１０という）は、実施形態１のコネクタ１０におけるコンデンサ３０を保持する構成を変更したものであって、その他の共通する構成、作用、および効果については実施形態１と重複するため、その説明を省略する。また、実施形態１と同じ構成については同一の符号を用いるものとする。また、実施形態１と対応する構成については、実施形態１の符号の数字部分に１００を加えた符号を用いるものとする。
【００５１】
実施形態１では、コンデンサ本体３１をホルダ４０の電子部品保持部４３によって保持しているのに対して、実施形態２では、ハウジング本体１２０に設けた複数の弾性片２８によってコンデンサ本体３１を保持している。図１６を見れば分かるように、本実施形態のホルダ１４０には弾性片４４が設けられておらず、スペーサ部４５のみが設けられている。一方、ハウジング本体１２０には、コンデンサ本体３１を弾性的に挟む複数の弾性片２８が設けられている。弾性片２８は、図１７に示すように、略Ｖ字状をなし、コンデンサ本体３１の外周面に沿ってほぼ等間隔で同じ方向を向いて配設されている。また、弾性片２８は、コンデンサ本体３１の径方向外側に撓んだ状態でコンデンサ本体３１を挟んでいる。
【００５２】
本実施形態のコネクタ１１０の組み立て方法については、まず、リード線３２を電子部品接続部５５、６５に抵抗溶接によって接続した後、このホルダ１４０をハウジング本体１２０の挿入口２１からホルダ収容部２３内に挿入する。このとき、スペーサ部４５によってコンデンサ本体３１を押し込むことになるため、リード線３２と電子部品接続部５５、６５の接続部に負荷がかかることはない。その後、コンデンサ本体３１が各弾性片２８を径方向外側に撓ませつつ、コンデンサ本体３１がこれらの弾性片２８によって挟まれた状態となる。このようにすれば、コンデンサ本体３１がハウジング本体１２０によって直接保持された状態となるため、より強固にコンデンサ３０を保持することができる。
【００５３】
＜他の実施形態＞
本発明は上記記述及び図面によって説明した実施形態に限定されるものではなく、例えば次のような実施形態も本発明の技術的範囲に含まれる。
（１）実施形態１では３つの弾性片４４、実施形態２では４つの弾性片２８を備えた電子部品保持部を例示しているものの、本発明によると、弾性片の数は２つでもよいし、５つ以上でもよい。
【００５４】
（２）上記実施形態では略円柱形状をなすコンデンサ本体３１を有するコンデンサ３０を例示しているものの、本発明によると、コンデンサ本体は略角柱形状をなすものでもよい。
【００５５】
（３）上記実施形態ではハウジング本体とホルダとからなるハウジングを例示しているものの、本発明によると、ハウジング本体とホルダが一体に形成されたハウジングを用いてもよい。
【００５６】
（４）実施形態１ではホルダ４０の後端部に弾性片４４が一体に形成され、実施形態２ではハウジング本体１２０の内部における後端部に弾性片２８が一体に形成されているものの、実施形態１ではホルダ４０のいずれかの位置に弾性片を形成すればよく、実施形態２ではハウジング本体１２０のいずれかの位置に弾性片を形成すればよい。
【００５７】
（５）上記実施形態ではコンデンサ３０のリード線３２が丸ピン形状をなしているが、これに限らず、例えば、コンデンサのリード線は角柱形状等であってもよい。
【００５８】
（６）上記実施形態では電子部品がコンデンサ３０である場合について説明したが、これに限らず、電子部品は、例えば抵抗、ダイオード等、各種の電子部品であってもよい。
【符号の説明】
【００５９】
１０、１１０…コネクタ（電子部品付きコネクタ）
２０、１２０…ハウジング本体（ハウジングの一構成要素）
２１…挿入口
２８…弾性片（電子部品保持部の一例）
３０…コンデンサ（電子部品の一例）
３１…コンデンサ本体（部品本体の一例）
３２…リード線
４０、１４０…ホルダ（ハウジングの一構成要素）
４３…電子部品保持部
４４…弾性片（電子部品保持部の一構成要素）
４５…スペーサ部（電子部品保持部の一構成要素）
５０…第１バスバー片（導電部材の一例）
６０…第２バスバー片（導電部材の一例）
【図１】
2014232698.tif 000003
【図２】
2014232698.tif 000004
【図３】
2014232698.tif 000005
【図４】
2014232698.tif 000006
【図５】
2014232698.tif 000007
【図６】
2014232698.tif 000008
【図７】
2014232698.tif 000009
【図８】
2014232698.tif 000010
【図９】
2014232698.tif 000011
【図１０】
2014232698.tif 000012
【図１１】
2014232698.tif 000013
【図１２】
2014232698.tif 000014
【図１３】
2014232698.tif 000015
【図１４】
2014232698.tif 000016
【図１５】
2014232698.tif 000017
【図１６】
2014232698.tif 000018
【図１７】
2014232698.tif 000019
【図１８】
2014232698.tif 000020
【図１９】
2014232698.tif 000021
【図２０】
2014232698.tif 000022